(57)【要約】　　　（修正有）【課題】崖崩れ防止ブロックの提供。【解決手段】原生材料或いは廃棄材料で形成されて、透水性、保水性を具えた多孔性ブロック１とされ、該ブロックの一面に植栽用の空間１１が形成され、この空間の一部がブロック内部に進入して植栽物を収容する凹孔とされ、該ブロックに他のブロックとの接続の構造、例えばブロックを貫通する複数の穿孔、或いはブロックを不貫通の盲孔が設けられ、長條鉄筋或いはピン等の連接手段の組み合わせに供され、またこのようなブロックを連接する構造がブロック周辺に設けられて他のブロックと相互に組み付けるための嵌合構造とされうる。【選択図】　　　図１
0003100334.tif 000002
【実用新案登録請求の範囲】
【請求項１】
　原生材料或いは廃棄材料で形成されて透水性と保水性を具えた多孔性ブロックとされ、このブロックの一面に植栽用の空間が開設され、該空間の一部分がブロック内に進入して植物を植えつけるための凹孔が形成されたことを特徴とする、崖崩れ防止ブロック。
【請求項２】
　請求項１記載の崖崩れ防止ブロックにおいて、ブロックに他のブロックとの組合せ用の構造が設けられたことを特徴とする、崖崩れ防止ブロック。
【請求項３】
　請求項２記載の崖崩れ防止ブロックにおいて、ブロックに複数の穿孔が設けられ、該穿孔が長條鉄筋等の連接手段の貫通による各ブロックの組合せに供されることを特徴とする、崖崩れ防止ブロック。
【請求項４】
　請求項２記載の崖崩れ防止ブロックにおいて、ブロックに複数の盲孔が設けられて、該盲孔がピン等の連接手段の挿入による各ブロックの組合せに供されることを特徴とする、崖崩れ防止ブロック。
【考案の詳細な説明】
【技術分野】
【０００１】
　本考案は一種の崖崩れ防止ブロックに係り、特に保水性と透水性を具え、植栽の空間を具えると共に、相互に接続可能な構造とされ、崖崩れ防止工事に使用される崖崩れ防止ブロックに関する。
【背景技術】
【０００２】
　土地の開発工程、例えば道路開設或いは建築工程では、山地を切り開くことがよくあるが、切り開いた後の崖は植物が植えられないために、崖崩れが発生しやすく、ゆえに山地を開墾後の崖崩れ防止工事は非常に重要である。現在崖崩れ防止工程によく使用される方式としては、人造の崖崩れ防止壁を設立する方法であり、その形式は下から上に階段式の台形傾斜度を有する崖崩れ防止壁の設計により、過度の出っ張りによる山崩れを防止するというものである。また、このような崖崩れ防止壁は通常、セメントの直接スプレーで形成されるか、或いは建築用鉄筋とセメントを組み合わせたものとされる。しかし、いずれも表面に植栽不能で、崖をもとの風貌に回復させることはできない。さらにセメントの崖崩れ防止壁は、漏水口を形成して土壌中の水分を流出させる必要があるが、大雨の時には土が急速に水を含むために漏水が有効に行なえずセメントの防護壁が過大な圧力を受けて崖崩れを発生する事件が起こる。また、別に網或いは石塊を積み重ねる方式もあり、このような崖崩れ防止壁形態はもとの山の形態に比較的接近し、その表面に不規則な漏水パイプラインが形成され、土壌の水を速く排出することができ、崖崩れ防止効果を有する。しかし、セメントの崖崩れ防止壁と同様、植栽が難しく、石塊或いは網式の崖崩れ防止壁はその構造の間隙を利用して雑草が映えるが、その生長内容と生長位置を掌握しにくい。このように、現在一般に系統的な植栽が行なえず、網の崖崩れ防止壁を利用しても、蔦類類にしか適用できない。
【考案の開示】
【考案が解決しようとする課題】
【０００３】
　従来の防護壁形態はセメントで塗り固めているが、却って崖の排水原則に違反し、崖崩れを発生させやすく、且つその表面は植栽に不利である。石塊型の崖崩れ防止壁はセメント式崖崩れ防止壁の欠点を改善するが、植栽のコントロールが容易でないという問題を有している。本考案は現在の崖崩れ防止壁の工程上の数々の欠点を改善し、並びに優れた効果を達成することができる一種の崖崩れ防止ブロックを提供することを課題としている。
【課題を解決するための手段】
【０００４】
　請求項１の考案は、原生材料或いは廃棄材料で形成されて透水性と保水性を具えた多孔性ブロックとされ、このブロックの一面に植栽用の空間が開設され、該空間の一部分がブロック内に進入して植物を植えつけるための凹孔が形成されたことを特徴とする、崖崩れ防止ブロックとしている。
　請求項２の考案は、請求項１記載の崖崩れ防止ブロックにおいて、ブロックに他のブロックとの組合せ用の構造が設けられたことを特徴とする、崖崩れ防止ブロックとしている。
　請求項３の考案は、請求項２記載の崖崩れ防止ブロックにおいて、ブロックに複数の穿孔が設けられ、該穿孔が長條鉄筋等の連接手段の貫通による各ブロックの組合せに供されることを特徴とする、崖崩れ防止ブロックとしている。
　請求項４の考案は、請求項２記載の崖崩れ防止ブロックにおいて、ブロックに複数の盲孔が設けられて、該盲孔がピン等の連接手段の挿入による各ブロックの組合せに供されることを特徴とする、崖崩れ防止ブロックとしている。
【考案の効果】
【０００５】
　総合すると、本考案は現在の崖崩れ防止壁の工程上の数々の欠点を改善し、並びに優れた効果を達成することができる。
【考案を実施するための最良の形態】
【０００６】
　本考案は現在の崖崩れ防止ブロックの欠点を鑑み、一種の新たな崖崩れ防止ブロックを提供するものである。それは、原生材料或いは廃棄材料で形成されるが、その共同の特徴は、多孔性の構造とされ、これにより急速に余分の水分を排出できる崖崩れ防止材とされ、この材料で構築された崖崩れ防止壁は十分な排水機能を具え崖崩れを防止することができる。この崖崩れ防止ブロックはまた植栽できる空間を提供し、崖付近の林相或いは植物態様、種類に適合する植物を植えて美化と崖崩れ防止を行なえる。上述の崖崩れ防止ブロックは多孔性の構造を有すると共に、適度の保水性を具え、崖の土壌より滲み出る水分を保持して植栽空間内の植物に提供し、植物にスプリンクラーで水やりを行なう必要がなく、管理上の便利性を達成する。この優れた透水性、保水性を有する崖崩れ防止ブロックはまたその多孔特性により、他の崖崩れ防止ブロックよりも優れた防音性を有し、ゆえに交通量の多い公共道路の防護壁に応用され、騒音量を減らすのを助ける。
【０００７】
　上述の崖崩れ防止ブロックは、一般の石塊或いはレンガブロックの形態に製造可能で、セメントを接着剤とする方式で積み重ねて壁を構築できる。しかし本考案の好ましい形態によると、二つのブロックを相互に結合させる構造として、ブロックに貫通或いは不貫通の孔を設け、さらに鉄筋或いはピンを利用してブロックを組み合わせる。さらに、ブロックの周辺に嵌挿の構造を設けて、これにより外来の連接手段を使用せずに各ブロックを組み合わせることができるようにする。
【実施例１】
【０００８】
　本考案の好ましい実施構造は図１の斜視図に示されるようである。このブロック１は、原生或いは廃棄材料で形成されて優れた透水性と保水性を具えた多孔性ブロックとされ、このような性質のブロックはすでに多くの実施例がある。そのうち特許を有しているものもあるが、ここでは詳細な説明は省略する。このブロック１の適当な部分に植栽できる空間１１が設けられ、本実施例では、該ブロック１の一つの表面の上部にブロック１端面に位置する開口１１１と、該ブロック１内部に進入する凹孔１１２（図２参照）が設けられている。この空間１１の両側にブロック１を組み合わせるための開孔１２が設けられ、該開孔１２は全体のブロック１を貫通するか或いはある深さだけを有する盲孔とされる。この開孔１２が貫通孔１３とされる時、長條鉄筋２１が該貫通孔１３を貫通してブロック１を直列に組合せ（図３）、それが盲孔１４に至る時、ピン２２でブロック１が連結（図４参照）される。このような盲孔１４は縦向きの設置に制限されるわけではなく、ブロック１に横向きに設置することも可能である。また、ブロック１の結合方式は外来の連接手段、例えば長條鉄筋２１及びピン２２によるほか、ブロック自身の構造に連接構造が設けられてもよく、例えば図５のようなほぞ３１とあり溝３２を具えたブロック３とされ、ほぞ３１とあり溝３２の係合によりブロック１が他の連接手段を用いずに組み合わされて崖崩れ防止壁を構築できるものとされる。
【０００９】
　本考案の前述の空間１１中の凹孔１１２内に植物４１を植栽可能で、蔦類のみでなく、他の植物も植栽できる。この植物４１は凹孔１１２中の土４２に植えつけられ、土４２は凹孔１１２前端のストッパ面１１３により限位、保持され（図２）、さらにブロック１が積み重ねられた後（図６）、凹孔１１２の上方が上層のブロック１の底面により被覆され、上から下に流れる雨水が凹孔１１２の上方より直接注入することがなく、ゆえに泥土４２が流されることがない。ゆえに本考案は安定した良好な植栽環境を提供する。
【図面の簡単な説明】
【００１０】
【図１】本考案の外観構造斜視図である。
【図２】図１の縦断面図である。
【図３】本考案の他の実施構造及びその構造の相互積み重ね組合せ図である。
【図４】本考案の他の実施構造及びその構造の相互積み重ね組合せ図である。
【図５】本考案の他の実施構造及びその構造の相互積み重ね組合せ図である。
【図６】本考案を崖崩れ防止壁工程への応用の実施構造正面図である。
【符号の説明】
【００１１】
１　ブロック　　　　　１１　空間
１２　開孔　　　　　　１３　貫通孔
１４　盲孔　　　　　　１１１　開口
１１２　凹孔　　　　　１１３　ストッパ面
２１　長條鉄筋　　　　２２　ピン
３　ブロック　　　　　３１　ほぞ
３２　あり溝　　　　　４１　植物
４２　土
【図１】
0003100334.tif 000003
【図２】
0003100334.tif 000004
【図３】
0003100334.tif 000005
【図４】
0003100334.tif 000006
【図５】
0003100334.tif 000007
【図６】
0003100334.tif 000008